(57)【要約】【課題】より容易に毛髪にランダム形状カールを施すことのできるヘアーアイロンを得る。【解決手段】ヘアーアイロン１は、把持部２ａと、当該把持部２ａの一端に連設されて毛髪に癖付けを施す毛髪矯正部２ｂと、を備えている。毛髪矯正部２ｂは、毛髪にカール状の癖付けを施すカール部８１，８２を複数有しており、複数のカール部８１，８２には、毛髪に癖を付加する矯正軸８１ａ，８２ａがそれぞれ形成されている。そして、複数のカール部８１，８２は、矯正軸８１ａ，８２ａを互いに交差させることが可能となるように形成されている。【選択図】図２
2013056022.tif 000002
【特許請求の範囲】
【請求項１】
把持部と、当該把持部の一端に連設されて毛髪に癖付けを施す毛髪矯正部と、を備えるヘアーアイロンであって、
前記毛髪矯正部は、毛髪にカール状の癖付けを施すカール部を複数有しており、
複数の前記カール部には、毛髪に癖を付加する矯正軸が形成されており、
複数の前記カール部のうち少なくとも２つのカール部の矯正軸を互いに交差させることが可能となるように、複数の前記カール部が形成されていることを特徴とするヘアーアイロン。
【請求項２】
複数の前記カール部は、前記把持部と前記毛髪矯正部との連設方向に連設されており、
複数の前記カール部のうち少なくとも互いに隣り合う２つのカール部が、それぞれの矯正軸と交差する方向に延在する軸を中心として互いに相対回動可能となるように連設されていることを特徴とする請求項１に記載のヘアーアイロン。
【請求項３】
把持部と、当該把持部の一端に連設されて毛髪に癖付けを施す毛髪矯正部と、を備えるヘアーアイロンであって、
前記毛髪矯正部は、毛髪にカール状の癖付けを施すカール部を複数有しており、
複数の前記カール部は、前記把持部と前記毛髪矯正部との連設方向に連設されており、
複数の前記カール部のうち少なくとも２つのカール部が前記連設方向に延在する軸を中心として互いに相対回動可能となるように、複数の前記カール部が連設されていることを特徴とするヘアーアイロン。
【請求項４】
前記ヘアーアイロンは、前記把持部の一端に連設されて毛髪を挟持する一対の毛髪挟持面を有する挟持部を備えており、
前記挟持部が前記毛髪矯正部であることを特徴とする請求項１〜３のうちいずれか１項に記載のヘアーアイロン。
【発明の詳細な説明】
【技術分野】
【０００１】
本発明は、ヘアーアイロンに関する。
【背景技術】
【０００２】
従来、ヘアーアイロンとして、基端を回動自在に連結して開閉自在に設けた一対のグリップと、各グリップの先端側に対向して設けられ、裏面側にカール部が設けられた発熱部（挟持部）と、を備えるものが知られている（例えば、特許文献１参照）。
【０００３】
この特許文献１では、対向する発熱部（挟持部）で毛髪を挟み込んでヘアーアイロンを回転させ、発熱部（挟持部）に挟み込まれていない毛髪をカール部に押し当てた状態で、当該ヘアーアイロンを毛髪に沿って引き下ろすことで毛髪に癖付けを施している。
【０００４】
さらに、この特許文献１では、発熱部のカール部の曲率とは異なる曲率の湾曲面を有する補助ケースを発熱部（挟持部）に着脱自在に装着できるようにすることで、毛髪をカールさせるときの曲げ度合いを変えることができるようにしている。
【先行技術文献】
【特許文献】
【０００５】
【特許文献１】特開２００９−５０６８１号公報
【発明の概要】
【発明が解決しようとする課題】
【０００６】
しかしながら、上記従来のヘアーアイロンを用いた場合、１回の施術で毛髪に形成されるカールは一方向カールのみである。そのため、髪の毛全体に他方向カールを併用したランダム形状カールを施す場合には、その都度、毛髪の巻きつけ方向を変更して施術を行う必要があった。このように、上記従来の技術では、毛髪にランダム形状カールを施す際に手間がかかってしまうという問題があった。
【０００７】
そこで、本発明は、より容易に毛髪にランダム形状カールを施すことのできるヘアーアイロンを得ることを目的とする。
【課題を解決するための手段】
【０００８】
本発明の第１の特徴は、把持部と、当該把持部の一端に連設されて毛髪に癖付けを施す毛髪矯正部と、を備えるヘアーアイロンであって、前記毛髪矯正部は、毛髪にカール状の癖付けを施すカール部を複数有しており、複数の前記カール部には、毛髪に癖を付加する矯正軸が形成されており、複数の前記カール部のうち少なくとも２つのカール部の矯正軸を互いに交差させることが可能となるように、複数の前記カール部が形成されていることを要旨とする。
【０００９】
本発明の第２の特徴は、複数の前記カール部は、前記把持部と前記毛髪矯正部との連設方向に連設されており、複数の前記カール部のうち少なくとも互いに隣り合う２つのカール部が、それぞれの矯正軸と交差する方向に延在する軸を中心として互いに相対回動可能となるように連設されていることを要旨とする。
【００１０】
本発明の第３の特徴は、把持部と、当該把持部の一端に連設されて毛髪に癖付けを施す毛髪矯正部と、を備えるヘアーアイロンであって、前記毛髪矯正部は、毛髪にカール状の癖付けを施すカール部を複数有しており、複数の前記カール部は、前記把持部と前記毛髪矯正部との連設方向に連設されており、複数の前記カール部のうち少なくとも２つのカール部が前記連設方向に延在する軸を中心として互いに相対回動可能となるように、複数の前記カール部が連設されていることを要旨とする。
【００１１】
本発明の第４の特徴は、前記ヘアーアイロンは、前記把持部の一端に連設されて毛髪を挟持する一対の毛髪挟持面を有する挟持部を備えており、前記挟持部が前記毛髪矯正部であることを要旨とする。
【発明の効果】
【００１２】
本発明によれば、複数のカール部のうち少なくとも２つのカール部の矯正軸を互いに交差させることが可能となるように、複数のカール部を形成した。
【００１３】
また、本発明によれば、複数のカール部を、把持部と毛髪矯正部との連設方向に連設し、複数のカール部のうち少なくとも２つのカール部を連設方向に延在する軸を中心として互いに相対回動可能となるようにした。
【００１４】
このような構成とすることで、毛髪にカール状の癖付けを施す際に、１回の施術で毛髪に複数種類のカール状の癖付けを施すことができる。したがって、毛髪にランダム形状カールを施す場合に、その都度、毛髪の巻きつけ方向を変更して施術を行う必要がなくなり、より容易に毛髪にランダム形状カールを施すことができるようになる。
【図面の簡単な説明】
【００１５】
【図１】本発明の第１実施形態にかかるヘアーアイロンの斜視図である。
【図２】本発明の第１実施形態にかかるヘアーアイロンの平面図である。
【図３】本発明の第２実施形態にかかるヘアーアイロンの平面図である。
【図４】本発明の第３実施形態にかかるヘアーアイロンの斜視図である。
【図５】本発明の第４実施形態にかかるヘアーアイロンの平面図である。
【図６】本発明の第５実施形態にかかるヘアーアイロンの側面図である。
【発明を実施するための形態】
【００１６】
以下、本発明の実施形態について図面を参照しながら詳細に説明する。なお、以下では、第１の毛髪挟持面と第２の毛髪挟持面とを当接させるとともに第２の毛髪挟持面が上を向いた状態におけるヘアーアイロンを基準として上下方向を規定する。また、ヘアーアイロンの挟持部側を前方、把持部側を後方として説明する。
【００１７】
また、以下の複数の実施形態には、同様の構成要素が含まれている。よって、以下では、それら同様の構成要素には共通の符号を付与するとともに、重複する説明を省略する。
【００１８】
（第１実施形態）
本実施形態にかかるヘアーアイロン１は、図１に示すように、回動連結部４を介して略Ｖ字状に拡開可能に連結された上側アーム部２および下側アーム部３を備えている。そして、上側アーム部２と下側アーム部３とを回動連結部４を介して相対回動させることで、上側アーム部２および下側アーム部３の先端同士を接離できるようにしている。すなわち、本実施形態では、上側アーム部２と下側アーム部３との相対回動に伴って、後述する上側毛髪挟持面２２ａと下側毛髪挟持面３２ａとが接離されるようにしている。
【００１９】
また、本実施形態では、図１に示すように、下側アーム部３の回動連結部４近傍に筒部３ｃが設けられているとともに、上側アーム部２の回動連結部４近傍に筒部３ｃ内に挿入可能な筒部２ｃが設けられている。この筒部２ｃと筒部３ｃとで形成された空間部には、図示せぬコイルスプリングが収容されており、このコイルスプリングによって、上側アーム部２と下側アーム部３とを互いに拡開するように付勢している。また、筒部２ｃを筒部３ｃ内に挿入させることで、ヘアーアイロン１を閉じる際に、上側アーム部２と下側アーム部３とが幅方向にずれてしまうのを抑制している。なお、本実施形態では、図示せぬストッパによって、上側アーム部２と下側アーム部３の拡開方向への回動が規制されている。
【００２０】
また、上側アーム部２および下側アーム部３の回動連結部４側（ヘアーアイロン１の後側）には、上側把持部（把持部）２ａおよび下側把持部（把持部）３ａがそれぞれ設けられている。そして、先端側には、上側挟持部（第１の挟持部：挟持部）２ｂおよび下側挟持部（第２の挟持部：挟持部）３ｂがそれぞれ設けられている。
【００２１】
そして、上側挟持部２ｂおよび下側挟持部３ｂは、それぞれ、上側アーム部２および下側アーム部３を閉じるように回動させた際に当接可能な上側毛髪挟持面（第１の毛髪挟持面：一対の毛髪挟持面）２２ａおよび下側毛髪挟持面（第２の毛髪挟持面：一対の毛髪挟持面）３２ａを有している。
【００２２】
また、挟持部の外表面（本実施形態では、上側挟持部２ｂおよび下側挟持部３ｂのそれぞれの外表面）には、毛髪をカールさせるためのカール面２ｄ，３ｄが設けられている。なお、本実施形態では、上側挟持部２ｂおよび下側挟持部３ｂの外表面とは、上側挟持部２ｂおよび下側挟持部３ｂの外面のうち、上側毛髪挟持面２２ａおよび下側毛髪挟持面３２ａとは反対側の面のことをいう。
【００２３】
さらに、本実施形態では、上側挟持部２ｂおよび下側挟持部３ｂには、ヒータ（図示せず）がそれぞれ内臓されている。
【００２４】
そして、上側アーム部２および下側アーム部３の先端側に形成された上側毛髪挟持面２２ａと下側毛髪挟持面３２ａとで毛髪を挟み込み、ヒータ（図示せず）で発生させた熱を上側毛髪挟持面２２ａおよび下側毛髪挟持面３２ａを介して毛髪に加えることで、毛髪にカール状やストレート状の癖付けを施している。
【００２５】
例えば、毛髪へのカール状の癖付けは、以下のようにして行われる。まず、加熱した上側挟持部２ｂおよび下側挟持部３ｂを互いに対向させ、上側挟持部２ｂと下側挟持部３ｂとの間に、上側挟持部２ｂおよび下側挟持部３ｂの幅方向に延在するように毛髪を配置した状態で、上側毛髪挟持面２２ａと下側毛髪挟持面３２ａとで毛髪を挟み込む。次に、毛髪を挟み込んだ状態でヘアーアイロン１を回転させて、上側毛髪挟持面２２ａと下側毛髪挟持面３２ａとで挟み込まれていない根元側の毛髪をカール面３ｄに押し当てる。そして、毛髪をカール面３ｄに押し当てた状態で、ヘアーアイロン１を、毛髪に沿って滑らせながら毛先に向けて引き下ろすことで、毛髪にカール状の癖付けが施される。なお、毛髪へのストレート状の癖付けは、上側毛髪挟持面２２ａと下側毛髪挟持面３２ａとで毛髪を挟み込んだヘアーアイロン１を回転させずに、毛髪に沿って滑らせながら毛先に向けて引き下ろすことで行われる。
【００２６】
このように、本実施形態にかかるヘアーアイロン１は、毛髪に熱による癖付けを施すことで整髪を行うものである。そして、上側挟持部２ｂおよび下側挟持部３ｂが、上側把持部（把持部）２ａおよび下側把持部（把持部）３ａの一端に連設されて毛髪に癖付けを施す毛髪矯正部に相当している。
【００２７】
上述した上側アーム部２および下側アーム部３は、外壁をなすケース２０およびケース３０を備えており、これらケース２０およびケース３０は、複数の分割体を継ぎ合わせて構成されている。また、ケース２０およびケース３０の内部には空洞が形成されており、この空洞内に、例えば、制御装置（図示せず）等の各種電気部品が収容されている。
【００２８】
本実施形態では、ケース２０およびケース３０の幅方向両側部に、当該ケース２０およびケース３０の上下方向に延在する突条２０ｄおよび突条３０ｄが長手方向に並設されている。
【００２９】
この突条２０ｄおよび突条３０ｄは、ケース２０およびケース３０の上側挟持部２ｂおよび下側挟持部３ｂ側に設けられており、側面視で、上下の毛髪挟持面２２ａ、３２ａの前側短辺から後側短辺にかけて並設されている。なお、突条２０ｄおよび突条３０ｄは、ケース２０およびケース３０の外表面の全周（カール面２ｄ，３ｄ）にわたって設けるようにしてもよいし、突条を設けなくてもよい。
【００３０】
このように、ケース２０およびケース３０に、上下方向に延在する突条２０ｄおよび突条３０ｄを設けることで、ヘアーアイロン１の使用時に、ケース２０およびケース３０と使用者等の頭皮や肌との接触面積を少なくすることができる。また、上下方向に延在する突条２０ｄおよび突条３０ｄを長手方向に並設することで、ケース２０およびケース３０の表面積の増加により効率的に放熱を行うことができるようになる上、この突条２０ｄおよび突条３０ｄによって毛髪を整流させることができる。
【００３１】
なお、突条２０ｄおよび突条３０ｄは、長手方向の間隔が１ｍｍ以上、突出量（突条２０ｄおよび突条３０ｄの高さ）が２ｍｍ以下となるように形成するのが好適である。長手方向の間隔を狭くしたり突出量を高くしたりすると、毛髪の滑り性能が低下してしまうためである。本実施形態では、長手方向の間隔が２．５ｍｍ、突出量が０．５ｍｍとなるように、突条２０ｄおよび突条３０ｄを形成している。
【００３２】
そして、ケース２０の上側挟持部２ｂ側にはカール面２ｄが形成されており、ケース３０の下側挟持部３ｂ側にはカール面３ｄが形成されている。
【００３３】
また、ヘアーアイロン１の後端部１ａからは、図示せぬ電源コードが引き出されている。
【００３４】
また、ケース３０には、図２に示すように、操作スイッチ（スイッチ）６が前後方向にスライド可能に設けられており、この操作スイッチ６を操作することで、ヒータ（図示せず）に対する通電のオン・オフ状態を切り換えることができるようになっている。
【００３５】
そして、この操作スイッチ６の操作によってヒータ（図示せず）を通電させると当該ヒータが発熱し、発熱したヒータから上側毛髪挟持面２２ａと下側毛髪挟持面３２ａに熱が伝達されることで、上側毛髪挟持面２２ａと下側毛髪挟持面３２ａが加熱される。
【００３６】
また、本実施形態では、ヘアーアイロン１は、上側挟持部２ｂの下側挟持部３ｂ側への相対移動を規制する規制部材を備えている。
【００３７】
具体的には、ケース２０の上側把持部２ａ側下部に、下方に向けて突出するストッパ突起４０を設けるとともに、ケース３０にストッパ溝部（図示せず）を設け、ストッパ突起４０の先端をストッパ溝部の底面に当接させることで、上側アーム部２と下側アーム部３との閉じる方向への回動を規制している。
【００３８】
また、上側挟持部２ｂにおける上側毛髪挟持面２２ａの根元側（後方：長手方向一方側）と先端側（前方：長手方向他方側）とには、上側毛髪挟持面２２ａと下側毛髪挟持面３２ａとで挟持した毛髪が前後方向にばらけてしまうのを抑制する突起部（突部）２０ｃが設けられている。
【００３９】
本実施形態では、突起部２０ｃは、上側毛髪挟持面２２ａの前部と後部の幅方向両端にそれぞれ２つずつ設けられている。
【００４０】
なお、毛髪を整流するための突起部は、上側毛髪挟持面２２ａおよび下側毛髪挟持面３２ａのいずれかの前方に設けられるとともに、上側毛髪挟持面２２ａおよび下側毛髪挟持面３２ａのいずれかの後方に設けられていればよい。
【００４１】
また、上側把持部２ａの前方部分には複数個のダイヤ状のストーン７が配置されており、装飾効果が得られるようになっている。
【００４２】
さらに、ケース２０のダイヤ状のストーン７が配置される部分には、ダイヤ状のストーン７を挟むようにして複数の凸条２０ｇが突設されており、ケース３０のダイヤ状のストーン７が配置される部分に対応した箇所には複数の凸条３０ｇが突設されている。これらダイヤ状のストーン７、凸条２０ｇおよび凸条３０ｇは、把持部の滑り止めとしての機能も有している。
【００４３】
また、図１に示すように、上側挟持部２ｂおよび下側挟持部３ｂの前方側の外表面には、挟持部の周方向に沿って複数の突部２０ｈ，３０ｈが突設されている。この突部２０ｈ，３０ｈおよび上述した挟持部側突部２０ｅ、３０ｅは、ヘアーアイロン１の使用時に、カール面２ｄもしくはカール面３ｄに押し当てた毛髪が前後方向にばらけてしまうのを抑制する機能も有している。
【００４４】
ここで、本実施形態では、毛髪矯正部（上側挟持部２ｂおよび下側挟持部３ｂ）は、毛髪にカール状の癖付けを施すカール部を複数有している。
【００４５】
具体的には、上側挟持部２ｂおよび下側挟持部３ｂの先端側には、それぞれ第１の上側カール部６１および第１の下側カール部７１が設けられており、第１の上側カール部６１および第１の下側カール部７１とで第１のカール部８１が形成されている。
【００４６】
一方、上側挟持部２ｂおよび下側挟持部３ｂの根元側（把持部側）には、それぞれ第２の上側カール部６２および第２の下側カール部７２が設けられており、第２の上側カール部６２および第２の下側カール部７２とで第２のカール部８２が形成されている。
【００４７】
本実施形態では、第１のカール部８１と第２のカール部８２とが、把持部と毛髪矯正部との連設方向（ヘアーアイロン１の長手方向）に連設されている。
【００４８】
この連設方向は、上側毛髪挟持面２２ａおよび下側毛髪挟持面３２ａとで毛髪を挟み込んだ状態において、上側毛髪挟持面２２ａおよび下側毛髪挟持面３２ａとで挟み込まれた毛髪の延在方向（ヘアーアイロン１の幅方向）と交差する方向に相当している。
【００４９】
そして、第１のカール部８１および第２のカール部８２には、毛髪に癖を付加する矯正軸８１ａ，８２ａがそれぞれ形成されている。
【００５０】
本実施形態では、第１の上側カール部６１および第１の下側カール部７１の幅方向（ヘアーアイロン１の幅方向）両端部に、ほぼ連設方向に沿って延在する矯正軸６１ａ，７１ａがそれぞれ形成されている。
【００５１】
また、第２の上側カール部６２および第２の下側カール部７２の幅方向（ヘアーアイロン１の幅方向）両端部には、ほぼ連設方向に沿って延在する矯正軸６２ａ，７２ａがそれぞれ形成されている。
【００５２】
そして、ヘアーアイロン１の平面視で、幅方向一端側に形成される矯正軸６１ａと矯正軸７１ａとが、同じ方向を向くように形成され、幅方向他端側に形成される矯正軸６１ａと矯正軸７１ａとが、同じ方向を向くように形成されている。
【００５３】
同様に、ヘアーアイロン１の平面視で、幅方向一端側に形成される矯正軸６２ａと矯正軸７２ａとが、同じ方向を向くように形成され、幅方向他端側に形成される矯正軸６２ａと矯正軸７２ａとが、同じ方向を向くように形成されている。
【００５４】
このように、本実施形態では、ヘアーアイロン１の平面視で、第１のカール部８１および第２のカール部８２の幅方向両端部に、ほぼ連設方向に沿って延在する矯正軸８１ａ，８２ａがそれぞれ形成されている。
【００５５】
さらに、本実施形態では、２つ（複数）のカール部（第１のカール部８１および第２のカール部８２）を、矯正軸８１ａ，８２ａを互いに交差させることが可能となるように形成している。
【００５６】
具体的には、図２に示すように、第１のカール部８１の形状を、ヘアーアイロン１の平面視で、先端に向かうにつれて縮径するテーパ状に形成している。そして、第２のカール部８２の形状を、ヘアーアイロン１の平面視で、根元に向かうにつれて縮径するテーパ状に形成している。
【００５７】
本実施形態では、第１の上側カール部６１および第１の下側カール部７１の幅方向両端部の形状を、先端側に頂点が存在するように配置した円錐の側面形状となるようにしている。こうすることで、第１のカール部８１の形状が、ヘアーアイロン１の平面視で、先端に向かうにつれて縮径するテーパ状となるようにしている。
【００５８】
したがって、本実施形態では、ヘアーアイロン１の平面視で、第１のカール部８１の幅方向両端部には、一対の矯正軸８１ａ，８１ａが、先端に向かうにつれて互いに距離が近づくように形成されることとなる。
【００５９】
一方、第２の上側カール部６２および第２の下側カール部７２の幅方向両端部の形状を、根元側に頂点が存在するように配置した円錐の側面形状となるようにしている。こうすることで、第２のカール部８２の形状が、ヘアーアイロン１の平面視で、根元に向かうにつれて縮径するテーパ状となるようにしている。
【００６０】
したがって、本実施形態では、ヘアーアイロン１の平面視で、第２のカール部８２の幅方向両端部には、一対の矯正軸８２ａ，８２ａが、根元に向かうにつれて互いに距離が近づくように形成されることとなる。
【００６１】
本実施形態では、矯正軸８１ａ，８２ａは、平面視で、ヘアーアイロン１Ａの長手方向に対して逆方向に傾斜している。
【００６２】
なお、第１の上側カール部６１および第２の上側カール部６２は一体に形成されており、第１の下側カール部７１および第２の下側カール部７２も一体に形成されている。したがって、ヘアーアイロン１は、平面視で、第１のカール部８１の一端側の矯正軸８１ａと第２のカール部８２の一端側の矯正軸８２ａとが、常時交差していることになる。他端側についても同様である。
【００６３】
次に、第１のカール部８１および第２のカール部８２の形状をかかる形状としたヘアーアイロン１を用いて、毛髪にカール状の癖付けを施す際の作用を説明する。なお、以下では、上側毛髪挟持面２２ａと下側毛髪挟持面３２ａとで挟み込んだ毛髪を一端側から第１の下側カール部７１および第２の下側カール部７２に押し当てた場合を例示する。他端側から押し当てた場合や第１の上側カール部６１および第２の上側カール部６２に押し当てた場合も作用は同様である。
【００６４】
まず、第１のカール部８１側では、上側毛髪挟持面２２ａと下側毛髪挟持面３２ａとで毛髪を挟み込んだ状態でヘアーアイロン１を回転させると、上側毛髪挟持面２２ａと下側毛髪挟持面３２ａとで挟み込まれていない根元側（頭皮側）の毛髪が第１の下側カール部７１の外表面に押し当てられる。
【００６５】
そして、毛髪を第１の下側カール部７１に押し当てた状態で、ヘアーアイロン１を、毛髪に沿って滑らせながら毛先に向けて引き下ろすことで、毛髪にカール状の癖付けが施される。このとき、第１の下側カール部７１に押し当てられた毛髪は、第１の下側カール部７１の一端側の矯正軸７１ａに押し当てられた状態で、引き下ろされる。すなわち、毛髪は、第１の下側カール部７１の一端側の矯正軸７１ａによって癖が付加された状態で第１の下側カール部７１の外表面上を滑ることになる。
【００６６】
そして、第１の下側カール部７１は、先端に向かうにつれて縮径するテーパ状に形成されているため、毛髪に、所定方向（例えば、上方から視た状態における時計回り方向）にカールしたスパイラルカールが付けられることとなる。
【００６７】
一方、第２のカール部８２側では、上側毛髪挟持面２２ａと下側毛髪挟持面３２ａとで毛髪を挟み込んだ状態でヘアーアイロン１を回転させると、上側毛髪挟持面２２ａと下側毛髪挟持面３２ａとで挟み込まれていない根元側（頭皮側）の毛髪が第２の下側カール部７２の外表面に押し当てられる。
【００６８】
そして、毛髪を第２の下側カール部７２に押し当てた状態で、ヘアーアイロン１を、毛髪に沿って滑らせながら毛先に向けて引き下ろすことで、毛髪にカール状の癖付けが施される。このとき、第２の下側カール部７２に押し当てられた毛髪は、第２の下側カール部７２の一端側の矯正軸７２ａに押し当てられた状態で、引き下ろされる。すなわち、毛髪は、第２の下側カール部７２の一端側の矯正軸７２ａによって癖が付加された状態で第２の下側カール部７２の表面上を滑ることになる。
【００６９】
そして、第２の下側カール部７２は、根元に向かうにつれて縮径するテーパ状に形成されているため、毛髪に、所定方向とは逆方向（例えば、上方から視た状態における反時計回り方向）にカールしたスパイラルカールが付けられることとなる。
【００７０】
なお、第１のカール部８１および第２のカール部８２のテーパ角度は、毛髪にスパイラルカールを付けられることができる範囲で適宜設定することが可能である。
【００７１】
このように、第１のカール部８１および第２のカール部８２の矯正軸８１ａ，８２ａを互いに交差させるようにすることで、１回の施術で毛髪に複数種類のカール形状（互いに逆方向にカールするスパイラルカール形状）を施すことが可能となる。すなわち、ユーザーが内巻きと外巻きのランダム・ミックスカールを施したいという場合、従来では、ユーザーが、例えば、一回目は内巻き、二回目は外巻きとなるようにヘアーアイロンの回転方向を自分で変更する必要があり、手間がかかる上、施術時間が長くなっていた。しかしながら、本実施形態にかかるヘアーアイロン１を用いると、一回の施術で２回分（内巻と外巻）の両方のカールを施すことができるようになる。また、本実施形態にかかるヘアーアイロン１を用いると、カールの大きさ径や細かい束感要求にも対応することが可能となる。
【００７２】
以上説明したように、本実施形態では、２つ（複数）のカール部（第１のカール部８１および第２のカール部８２）を、矯正軸８１ａ，８２ａを互いに交差させることが可能となるように形成した。
【００７３】
したがって、毛髪にカール状の癖付けを施す際に、１回の施術で毛髪に複数種類のカール状の癖付けを施すことができる。その結果、毛髪にランダム形状カールを施す場合に、その都度、毛髪の巻きつけ方向を変更して施術を行う必要がなくなり、より容易に毛髪にランダム形状カールを施すことができるようになる。
【００７４】
また、本実施形態では、挟持部２ｂ，３ｂを、少なくともカール面２ｄ、３ｄが形成される部位が、上側毛髪挟持面２２ａおよび下側毛髪挟持面３２ａ（一対の毛髪挟持面）で毛髪を挟み込んだ状態において、挟持部２ｂ，３ｂの長手方向（挟み込まれた毛髪の延在方向と交差する方向）の一端側（根元側）から他端側（先端側）にかけて縮径するテーパ状に形成した。そのため、毛髪にスパイラルカールをより容易に付けることができるようになる。
【００７５】
また、本実施形態では、一対の毛髪挟持面（上側毛髪挟持面２２ａおよび下側毛髪挟持面３２ａ）を有する挟持部（上側挟持部２ｂおよび下側挟持部３ｂ）を、把持部（上側把持部２ａおよび下側把持部３ａ）の一端に連設されて毛髪に癖付けを施す毛髪矯正部とした。そのため、毛髪にカール状の癖付けだけでなくストレート状の癖付けを施すこともできるようになるという利点がある。
【００７６】
（第２実施形態）
本実施形態にかかるヘアーアイロン１Ａは、基本的に上記第１実施形態とほぼ同様の構成をしている。
【００７７】
すなわち、ヘアーアイロン１Ａは、挟持部（上側挟持部２ｂおよび下側挟持部３ｂ）と、当該挟持部（上側挟持部２ｂおよび下側挟持部３ｂ）の一端に連設されて毛髪に癖付けを施す毛髪矯正部と、を備えている。
【００７８】
本実施形態においても、一対の毛髪挟持面（上側毛髪挟持面２２ａおよび下側毛髪挟持面３２ａ）を有する挟持部（上側挟持部２ｂおよび下側挟持部３ｂ）が毛髪矯正部に相当している。
【００７９】
そして、複数のカール部を、矯正軸を互いに交差させることが可能となるように形成している。
【００８０】
ここで、本実施形態にかかるヘアーアイロン１Ａが、上記第１実施形態と主に異なる点は、４つのカール部（第１〜第４のカール部８１〜８４）を備えており、これらの矯正軸８１ａ〜８４ａのうち少なくとも２つの矯正軸８１ａ，８３ａを互いに交差させるようにした点にある。
【００８１】
具体的には、毛髪矯正部に、先端側から第１のカール部８１、第３のカール部８３、第４のカール部８４および第２のカール部８２を形成し、それぞれの矯正軸８１ａ，８３ａ，８４ａ，８２ａを、平面視で、ヘアーアイロン１Ａの長手方向に対して交互に逆方向に傾斜するように形成した。なお、矯正軸８１ａ、８４ａの長手方向に対する傾斜角度および矯正軸８３ａ、８２ａの長手方向に対する傾斜角度は、同一でもよいし異ならせてもよい。
【００８２】
また、本実施形態においても、第１〜第４のカール部８１〜８４は、第１〜第４の上側カール部６１〜６４および第１〜第４の下側カール部７１〜７４とで形成されている。そして、ヘアーアイロン１Ａの平面視で、幅方向一端側に形成される矯正軸６１ａ〜６４ａと矯正軸７１ａ〜７４ａとが、それぞれ同じ方向を向くように形成され、幅方向他端側に形成される矯正軸６１ａ〜６４ａと矯正軸７１ａ〜７４ａとが、同じ方向を向くように形成されている。
【００８３】
以上の本実施形態によっても、上記第１実施形態と同様の作用、効果を奏することができる。
【００８４】
また、本実施形態によれば、毛髪矯正部に４つのカール部（第１〜第４のカール部８１〜８４）を設けているため、１回の施術でより多様なカール形状を施すことが可能となる。
【００８５】
（第３実施形態）
本実施形態にかかるヘアーアイロン１Ｂは、基本的に上記第１実施形態とほぼ同様の構成をしている。
【００８６】
すなわち、ヘアーアイロン１Ｂは、挟持部（上側挟持部２ｂおよび下側挟持部３ｂ）と、当該挟持部（上側挟持部２ｂおよび下側挟持部３ｂ）の一端に連設されて毛髪に癖付けを施す毛髪矯正部と、を備えている。
【００８７】
本実施形態においても、一対の毛髪挟持面（上側毛髪挟持面２２ａおよび下側毛髪挟持面３２ａ）を有する挟持部（上側挟持部２ｂおよび下側挟持部３ｂ）が毛髪矯正部に相当している。
【００８８】
そして、複数のカール部を、矯正軸を互いに交差させることが可能となるように形成している。
【００８９】
ここで、本実施形態にかかるヘアーアイロン１Ｂが、上記第１実施形態と主に異なる点は、一対の毛髪挟持面（上側毛髪挟持面２２ａおよび下側毛髪挟持面３２ａ）と挟持部の外表面に設けられたカール面２ｄ，３ｄとで、カール部８１，８２を構成している点にある。
【００９０】
具体的には、第１の上側カール部６１、第１の下側カール部７１、上側毛髪挟持面２２ａの先端側および下側毛髪挟持面３２ａの先端側で第１のカール部８１が形成されている。
【００９１】
一方、第２の上側カール部６２、第２の下側カール部７２、上側毛髪挟持面２２ａの根元側および下側毛髪挟持面３２ａの根元側で第２のカール部８２が形成されている。
【００９２】
そして、上側毛髪挟持面２２ａおよび下側毛髪挟持面３２ａの幅方向両端に、矯正軸８１ａ，８２ａが形成されている。
【００９３】
具体的には、上側毛髪挟持面２２ａの先端側は、先端に向かうにつれて幅狭の台形状となるように形成されており、上側毛髪挟持面２２ａの根元側は、根元に向かうにつれて幅狭の台形状となるように形成されている。そして、上側毛髪挟持面２２ａの幅方向両端が、矯正軸８１ａ，８１ａとなっている。なお、図示省略したが、下側毛髪挟持面３２ａの形状も上側毛髪挟持面２２ａの形状と同様である。
【００９４】
このように、本実施形態においても、２つ（複数）のカール部（第１のカール部８１および第２のカール部８２）を、矯正軸８１ａ，８２ａを互いに交差させることが可能となるように形成している。
【００９５】
以上の本実施形態によっても、上記第１実施形態と同様の作用、効果を奏することができる。
【００９６】
（第４実施形態）
本実施形態にかかるヘアーアイロン１Ｃは、基本的に上記第１実施形態とほぼ同様の構成をしている。
【００９７】
すなわち、ヘアーアイロン１Ｃは、挟持部（上側挟持部２ｂおよび下側挟持部３ｂ）と、当該挟持部（上側挟持部２ｂおよび下側挟持部３ｂ）の一端に連設されて毛髪に癖付けを施す毛髪矯正部と、を備えている。
【００９８】
本実施形態においても、一対の毛髪挟持面（上側毛髪挟持面２２ａおよび下側毛髪挟持面３２ａ）を有する挟持部（上側挟持部２ｂおよび下側挟持部３ｂ）が毛髪矯正部に相当している。
【００９９】
そして、複数のカール部を、矯正軸を互いに交差させることが可能となるように形成している。
【０１００】
ここで、本実施形態にかかるヘアーアイロン１Ｃが、上記第１実施形態と主に異なる点は、連設方向に互いに隣り合う２つのカール部が、上下に延在する軸Ｃを中心として互いに相対回動可能となるように連設されている点にある。
【０１０１】
具体的には、第２のカール部８２が、挟持部（上側挟持部２ｂおよび下側挟持部３ｂ）に一体に形成されており、当該第２のカール部８２の先端側に、軸Ｃを中心として第２のカール部８２に対して相対回動（図５の矢印ａ方向）可能となるように第１のカール部８１を設けた。
【０１０２】
なお、本実施形態においても、第１の上側カール部６１および第１の下側カール部７１で第１のカール部８１が形成されている。
【０１０３】
一方、第２の上側カール部６２および第２の下側カール部７２で第２のカール部８２が形成されている。
【０１０４】
そして、上側毛髪挟持面２２ａおよび下側毛髪挟持面３２ａの幅方向両端に、矯正軸８１ａ（矯正軸６１ａ、７１ａ），矯正軸８２ａ（矯正軸６２ａ、７２ａ）が形成されている。
【０１０５】
このような構成とすることで、通常状態の場合には、矯正軸８１ａと矯正軸８２ａとが同一方向を向くようにできる。さらに、第１のカール部８１を軸Ｃを中心として第２のカール部８２に対して相対回動させると、複数のカール部（第１のカール部８１および第２のカール部８２）の矯正軸８１ａ、８２ａを互いに交差させることが可能となる。
【０１０６】
以上の本実施形態によっても、上記第１実施形態と同様の作用、効果を奏することができる。
【０１０７】
また、本実施形態によれば、通常使用する際には、１回の施術で１種類のカール形状を施すことができ、第１のカール部８１を回動させれば、１回の施術で２種類のカール形状を施すことができるようになる。このように、本実施形態によれば、ユーザーの要求に応じてヘアーアイロン１Ｃの機能を選択することが可能となり、ヘアーアイロン１Ｃに汎用性を持たせることができる。
【０１０８】
（第５実施形態）
本実施形態にかかるヘアーアイロン１Ｄは、基本的に上記第１実施形態とほぼ同様の構成をしている。
【０１０９】
すなわち、ヘアーアイロン１Ｄは、挟持部（上側挟持部２ｂおよび下側挟持部３ｂ）と、当該挟持部（上側挟持部２ｂおよび下側挟持部３ｂ）の一端に連設されて毛髪に癖付けを施す毛髪矯正部と、を備えている。
【０１１０】
本実施形態においても、一対の毛髪挟持面（上側毛髪挟持面２２ａおよび下側毛髪挟持面３２ａ）を有する挟持部（上側挟持部２ｂおよび下側挟持部３ｂ）が毛髪矯正部に相当している。
【０１１１】
ここで、本実施形態にかかるヘアーアイロン１Ｄが、上記第１実施形態と主に異なる点は、２つのカール部８１，８２が連設方向に延在する軸を中心として互いに相対回動可能となるように連設されている点にある。
【０１１２】
具体的には、第２のカール部８２が、挟持部（上側挟持部２ｂおよび下側挟持部３ｂ）に連設方向に延在する軸を中心として相対回動可能となるように形成されており、この第２のカール部８２に対して、第１のカール部８１が連設方向に延在する軸を中心として相対回動可能となるように形成されている。
【０１１３】
なお、本実施形態においても、第１の上側カール部６１および第１の下側カール部７１で第１のカール部８１が形成されている。
【０１１４】
一方、第２の上側カール部６２および第２の下側カール部７２で第２のカール部８２が形成されている。
【０１１５】
本実施形態にかかるヘアーアイロン１Ｄの使用時には、第２のカール部８２が図６の矢印ｂ方向に回動し、第１のカール部８１が図６の矢印ｃ方向に回動する。この回動は、モータ等の駆動源を用いて行ってもよいし、ユーザーが手動により行ってもよい。
【０１１６】
このように、第１のカール部８１と第２のカール部８２とを互いに反対方向へ回動させることで、１回の施術で毛髪に複数種類のカール形状（互いに逆方向にカールするスパイラルカール形状）を施すことが可能となる。
【０１１７】
すなわち、本実施形態によっても、上記第１実施形態と同様の作用、効果を奏することができる。
【０１１８】
以上、本発明の好適な実施形態について説明したが、本発明は上記実施形態には限定されず、種々の変形が可能である。
【０１１９】
例えば、ミスト生成部や金属微粒子生成部等のイオン生成部を設けたヘアーアイロン装置に本発明を適用することも可能である。
【０１２０】
また、上記実施形態では、主に毛髪をカール面３ｄに押し当ててカール状の癖付けを施す場合を例示したが、毛髪をカール面２ｄに押し当ててカール状の癖付けを施すことも可能である。
【０１２１】
また、上記各実施形態では、互いに交差する矯正軸を有するカール部がヘアーアイロンのケースに形成されたものを例示したが、互いに交差する矯正軸を有するカール部をケースに着脱可能に取り付けるようにしてもよい。
【０１２２】
また、毛髪を挟持することなく、筒状の表面に毛髪を巻き付けてカール状の癖付けを施すヘアーアイロンに本発明を適用することも可能である。
【０１２３】
また、把持部やカール部、その他細部のスペック（形状、大きさ、レイアウト等）も適宜に変更可能である。
【符号の説明】
【０１２４】
１，１Ａ，１Ｂ，１Ｃ，１Ｄ  ヘアーアイロン
２ａ  上側把持部（把持部）
２ｂ  上側挟持部（挟持部）
３ａ  下側把持部（把持部）
３ｂ  下側挟持部（挟持部）
２２ａ  上側毛髪挟持面（一対の毛髪挟持面）
３２ａ  下側毛髪挟持面（一対の毛髪挟持面）
８１  第１のカール部（カール部）
８１ａ  矯正軸
８２  第２のカール部（カール部）
８２ａ  矯正軸
【図１】
2013056022.tif 000003
【図２】
2013056022.tif 000004
【図３】
2013056022.tif 000005
【図４】
2013056022.tif 000006
【図５】
2013056022.tif 000007
【図６】
2013056022.tif 000008